(57)【特許請求の範囲】
【請求項１】
下方開口の吸込室と、吸込具本体の後方に向かって延び、取着されるアームと、前記吸込室と前記アームを連通する連絡路と、前記アーム前方かつ前記連絡路上側に設け、内部にリード線を配したブリッジ体と、前記ブリッジ体の底面部から前方に向かって突出するように設けた整流板と、本体の略前方で前記整流板より下方に位置して設けた外気と吸込室を連通する外気流入口と、前記吸込室を形成する天井壁に内貼りされ一端が前記外気流入口を覆うと共に他端が前記連絡路近傍で前記天井壁と前記整流板にて狭持される通気性を有する吸音材とからなり、前記整流板と前記吸音材により前記吸込室から前記連絡路までの段差を無くしたことを特徴とする電気掃除機用吸込具。
【請求項２】
後部に電動送風機を配した電動送風機室と、前部には塵埃を集塵する集塵室と、前記集塵室と外気を連通させる集塵口を形成する電気掃除機本体と、前記集塵口と請求項１記載の電気掃除機用吸込具を接続させる接続手段を有した電気掃除機。
【発明の詳細な説明】
【０００１】
【発明の属する技術分野】
本発明は、一般家庭で使用される電気掃除機用吸込具に関するものである。
【０００２】
【従来の技術】
従来の電気掃除機用吸込具を、図８〜図１１を用いて説明する。
【０００３】
吸込具本体４８は、上部側が上ケース４９よりなり、下部側が底面を構成する下ケース５０よりなり、下ケース５０の下面に吸込室５１が形成され、下ケース５０にネジ５２により上ケース４９が被着（固着）されている。吸込具本体４８内のモーター５３、回路５４、回転ブラシ５５、吸込室５１と連通した連絡路５６から接続されるアーム５７及び吸込具本体４８の外周に巻装されたバンパー５８の内装部品は、上ケース４９と下ケース５０を組み合わせることにより挟み込みにて保持される。このうち、回転ブラシ５５は、吸込室５１に臨んで設けられる。
【０００４】
モーター５３は、防振ゴム５９を介して吸込具本体４８に防振支持され、モーターシャフト６０端には、歯形を有し一方向にフランジ部を有したプーリー小６１と、モーターシャフト６０の最端部にてモーターシャフト６０を保持する軸受６２が有り、軸受６２は下ケース５０に保持されている。また、モーター５３を制御する回路５４は、モーター５３と対峙する位置に保持され、モーター５３と回路５４を繋ぐ連結リード線６３は、連絡路５６上側にアーム５７前方に臨むように設けられたブリッジ体６４を通っている。
【０００５】
回転ブラシ５５は、側端に上記プーリー小６１と同形の歯形で歯数の異なるプーリー６５が取り付けられ、プーリー小６１のフランジと逆位置にフランジも同様に備えている。上記プーリー小６１とプーリー６５とにはタイミングベルト６６が張架され、モーター５３の動力が回転ブラシ５５に伝達される。また、回転ブラシ５５は、発泡性樹脂により成形された基体６７に螺旋状に突出する叩き突状６８が設けられている。
【０００６】
吸込室５１は、吸込具本体４８の連絡路５６を介してアーム５７の集塵路６９、曲り継手７０へ連通しており、アーム５７は、吸込具本体４８の後部中央に上下動自在に内装され、一方のアーム５７の他端には、アーム５７の周方向に回動自在に接続された曲り継手７０があり、該曲り継手７０の他端には、掃除機本体（図示せず）側のホース（図示せず）の延長管（図示せず）に挿入されるようになっている。
【０００７】
曲り継手７０と延長管（図示せず）の先端がくる位置に合わせて配置された複数個設けられた接続ピン支持部７１と、接続ピン支持部７１に支持される接続ピン７２とつながるモーター給電用のリード線７３をアーム５７側に導くための空間となるリード線収容部７４とが設けてあり、リード線収容部７４は着脱可能な保護カバー７５によって覆われている。
【０００８】
清掃作業時には、回転ブラシ５５が回転することで、清掃床面の塵埃を剥離させ、掃除機本体（図示せず）から発生する吸気風が集塵路６９、連通路５６を通じて吸込室５１に達し、剥離された塵埃を吸引する。
【０００９】
【発明が解決しようとする課題】
従来の電気掃除機用吸込具にあっては、ブリッジ体６４のように連絡路５６上に突起物があり、その突起物により連絡路５６に塵埃が詰まり閉塞されたり、突起物に吸気風が当たるために、吸引風が巻き、連絡路５６近傍での静音化が行えない問題があった。
【００１０】
【課題を解決するための手段】
上記問題を解決するために本発明は、下方開口の吸込室と、吸込具本体の後方に向かって延び、取着されるアームと、前記吸込室と前記アームを連通する連絡路と、下方開口の吸込室と、吸込具本体の後方に向かって延び、取着されるアームと、前記吸込室と前記アームを連通する連絡路と、前記アーム前方かつ前記連絡路上側に設け、内部にリード線を配したブリッジ体と、前記ブリッジ体の底面部から前方に向かって突出するように設けた整流板と、本体の略前方で前記整流板より下方に位置して設けた外気と吸込室を連通する外気流入口と、前記吸込室を形成する天井壁に内貼りされ一端が前記外気流入口を覆うと共に他端が前記連絡路近傍で前記天井壁と前記整流板にて狭持される通気性を有する吸音材とからなり、前記整流板と前記吸音材により前記吸込室から前記連絡路までの段差を無くしたことを特徴とするもので、外気流入口からの風切り音を低減すると共に、外気流入口からの吸引風が下方の開口からの吸引風と合流することにより、空気の流れをスムーズにすることが出来、尚かつ吸音材の下方に空気の流れを作ることにより吸音材への塵埃の付着を防止することができ吸音材の寿命を延ばすことが出来るもので有ります。
【００１１】
【発明の実施の形態】
本発明の請求項１記載の発明は、下方開口の吸込室と、吸込具本体の後方に向かって延び、取着されるアームと、前記吸込室と前記アームを連通する連絡路と、下方開口の吸込室と、吸込具本体の後方に向かって延び、取着されるアームと、前記吸込室と前記アームを連通する連絡路と、前記アーム前方かつ前記連絡路上側に設け、内部にリード線を配したブリッジ体と、前記ブリッジ体の底面部から前方に向かって突出するように設けた整流板と、本体の略前方で前記整流板より下方に位置して設けた外気と吸込室を連通する外気流入口と、前記吸込室を形成する天井壁に内貼りされ一端が前記外気流入口を覆うと共に他端が前記連絡路近傍で前記天井壁と前記整流板にて狭持される通気性を有する吸音材とからなり、前記整流板と前記吸音材により前記吸込室から前記連絡路までの段差を無くしたことを特徴とするもので、外気流入口からの風切り音を低減すると共に、外気流入口からの吸引風が下方の開口からの吸引風と合流することにより、空気の流れをスムーズにすることが出来、尚かつ吸音材の下方に空気の流れを作ることにより吸音材への塵埃の付着を防止することができ吸音材の寿命を延ばすことが出来る。
【００１２】
請求項２記載の発明は、後部に電動送風機を配した電動送風機室と、前部には塵埃を集塵する集塵室と、前記集塵室と外気を連通させる集塵口を形成する電気掃除機本体と、前記集塵口と請求項１記載の電気掃除機用吸込具を接続させる接続手段を有したので、掃除効率が良く、静かで耐久性の優れた電気掃除機を提供することができるものである。
【００１３】
【実施例】
以下、本発明の実施例を、図１〜図７を用いて説明する。
【００１４】
図６に於いて、３２は後部に吸込具本体１が集塵するのに必要な吸気風を発生させる電動送風機（図示せず）を内蔵した電動送風機室２９があり、前部には塵埃を集塵する集塵室３０と、前記集塵室３０と外気を連通させる集塵口３１を形成する電気掃除機本体である。前記集塵口３１に接続され、柔軟に可動するように軟体で形成されたホース部３３と、前記ホース３３に接続されて前記電気掃除機本体３２や吸込具本体１を制御する電気装置を内蔵したホース手元部３４があり、ホース手元部３４とホース部３３をあわせてホース３５とした。また、ホース手元部３４と吸込具本体１を接続するために剛体で形成され、且つ吸込具本体１に電源を供給する給電線（図示せず）が内蔵された延長管３６がある。吸込具本体１により集塵された塵埃は、延長管３６、ホース３５、集塵口３１を通過した後に、掃除機本体３２の集塵室３０に集められるようになっている。
【００１５】
図１〜５に於いて、吸込具本体１は、上部側が上ケース２よりなり、下部側が底面を構成する下ケース３で、下ケース３の下面開口の吸込室５が形成されている。また、吸込具本体１内のモーター１５、回路１７、回転ブラシ１０、吸込室５と連通した連絡路９から接続されるアーム６及び吸込具本体１の外周に巻装されたバンパー４の内装部品は、上ケース２と下ケース３を組み合わせることにより挟み込みにて保持される。このうち、回転ブラシ１０は、吸込室５に臨んで設けられる。
【００１６】
吸込室５は、吸込具本体１の連絡路９を介してアーム６の集塵路８、曲り継手７へ連通しており、アーム６は、吸込具本体１の後部中央に上下動自在に内装され、一方のアーム６の他端には、アーム６の周方向に回動自在に接続された曲り継手７があり、該曲り継手７の他端には、延長管３６に挿入されるようになっている。曲り継手７と延長管３６の先端がくる位置に合わせて配置された複数個設けられた接続ピン支持部３７と、接続ピン支持部３７に支持される接続ピン３８とつながるモーター給電用のリード線３９をアーム６側に導くための空間となるリード線収容部４０とが設けてあり、リード線収容部４０は着脱可能な保護カバー４１によって覆われている。
【００１７】
下ケース３の後部は、連通路９により左右に分断された部屋を形成しており、一方をモーター室１６として、防振ゴム４２を介して防振支持されたモーター１５が有り、モーターシャフト４３の端部には、歯形を有し一方向にフランジ部を有したプーリー小４４と、モーター１５とプーリー小４４の間に設け、モーターシャフト４３を下ケース３に保持する軸受４５が有る。また、他方には、回路室１８として、モーター１５を制御する回路１７が下ケース３に保持されている。このモーター１５と回路１７を繋ぐ連結リード線４６は、連絡路９の上側に位置し、アーム６の前方に臨むように設けられたブリッジ体４７に設置されている。また、下ケース３の４隅近傍には、清掃床面に下ケース３が直接、接触する事を防止して、清掃床面に傷を付けないことを目的としたローラー２４が設けられている。
【００１８】
回転ブラシ１０は、一方の側端部に上記プーリー小４４と同形の歯形で歯数の異なるプーリー２０が取り付けられ、プーリー小４４のフランジと逆位置にフランジも同様に備えている。プーリー小４４とプーリー２０とにはタイミングベルト１９が張架され、モーター１５の動力が回転ブラシ１０に伝達される。また、回転ブラシ１０は、アルミや発泡性樹脂により成形された剛体の基体１１があり、基材１１の外周に向かって開口する複数の溝帯１２が長手方向に設けられ、基材１１は溝帯１２共に螺旋状に捻られている。また、フロアー上などで拭き機能の役割を持つ毛ブラシ１３とじゅうたんパイル上から塵埃を剥離させる機能の役割を持つ周ブレード１４とが交互に基材１１に差し通して固定されている。また、プーリーダイ２０の端部には、回転ブラシ１０が吸込室５内において自在に回転出来るように軸支する軸受ａ２１が設けられている。同様に、基材１１の他端にも、回転ブラシ１０が自在に回転するように軸支する軸受ｂ２３が設けられ、軸受ｂ２３を軸支する台座として、軸受支え２２が設けられている。
【００１９】
上ケース２には、吸込室５と外気を連通する外気流入口２５が、連通路９と対向するように吸込具本体１の略前方に開口している。また、上ケース２の左右両端部近傍まで外気流入口２５が形成されており、図５に示すように更にその外気流入口を左右方向に複数個に分割し、かつ連絡路９に近い方を広く、連絡路９に離れる方で狭くなるようにする整流リブ２８を構成した。
【００２０】
吸込室５の天井面には、通気性と消音効果を有した吸音材２６の一端が外気流入口２５を覆うと共に、連絡路９の近傍まで延設されて接着固定されている。
【００２１】
また、ブッリジ体４７の底面部から吸込室５側に突出し、吸音材２６の一端を上ケース２との間に挟む構成の整流板２７が設けられている。整流板２７の底面は、外気流入口２５の開口部より上方になるように設けられている。
【００２２】
上記構成による作用は以下の通りである。
【００２３】
清掃床面を掃除するため掃除機本体３２を運転し、吸込具本体１に吸引風を流すと、ホース３５および延長管３６を通じて集塵路８、連絡路９を通じて、吸込室５および外気流入口２５から外気が流入する。また、延長管３６を通じて、掃除機本体３２からの供給電源を接続ピン３８を通じて、回路１７からモーター１５に電源が供給され、モーター１５が回転し、タイミングベルト１９を通じ、回転ブラシ１０が駆動する。
【００２４】
吸込室５内の回転ブラシ１０が回転することで、毛ブラシ１３や周ブレード１４によって床面上の塵埃が剥離され、吸込室５に流入する吸引風にて集塵され、連絡路９、集塵路８を通じて掃除機本体３２に塵埃が集められる。なお、吸込室５から連絡路９にいたる吸引風は主に、吸込室５の下側を流路となる。
【００２５】
次に、外気流入口２５から流入する吸気風は、吸込室５の上側を流れる風で、毛ブラシ１３や周ブレード１４により巻き上げられて吸込室５上方に漂う塵埃や、毛ブラシ１３や周ブレード１４に付着した塵埃が再び床面に戻ることなく、これら塵埃を連絡路９まで運搬する吸引風である。また、外気流入口２５から入る吸引風は、一旦、吸音材２６を通過することで、吸音材２５で発生する風切り音を低減する。また、連絡路９に至る吸引風は、特に吸込室５の上部を流れる吸引風の場合、整流板２７の底面を通過し、吸込室５から連絡路９まで余計な段差に当たることなくスムーズに流れる。また、吸込室５の下部を流れる吸引風は直接、連絡路９に流れるが、回転ブラシ１０による回転力で上方に吹き上げられた場合は、連絡路９上方に位置する整流板２７に当たり、吸込室５の上部を流れる吸引風と同様な流路を通るため、スムーズに吸引される。
【００２６】
次に、図７よりアーム６が吸込具本体１上方に回動したときの吸引風の動きについて説明する。アーム６が回動することで、集塵路８は略下方から略上方に向かう形になり、吸込室５の開口部と対抗する形になる。しかし、連絡路９は定位置にあるため、吸込室５上方の吸引風は整流板２７下面を通り、アーム６の内壁に沿ってスムーズに吸引される。また、吸込室５下方からの流入風は、アーム６内と対抗するように存在するため、より吸引風が流れ易くなり、清掃床面の塵埃を効率よく吸引できるが、この場合には、吸込室５上部に流れる吸引風と整流板２７近傍で合流するため、整流板２７の効果に２箇所より流れる吸引風が当たることで整流され、アーム６に吸引される。
【００２７】
以上から、吸込室５より流入する吸引風や塵埃は、まず整流板２７に当たってから連絡路９に達するため、吸込室５とアーム６をスムーズに通過するので、塵埃がブリッジ体４７等に引っかかることを防止し、ブリッジ体４７の段差部で吸引風が巻くために発生する風切り音を低減できる。
【００２８】
また、連絡路９近傍では、塵埃が整流板２７面を通過するため、吸音材２６に塵埃を付着するのを防止させたり、鋭利な塵埃により吸音材２６が切り裂かれる等して劣化することを無くすことができる。
【００２９】
また、外気流入口２５より入る吸引風は、連絡路９に至るまでに整流板２７を介して流入するので、吸気風がスムーズに流れ風切り音を低減できる。
【００３０】
また、外気流入口２５より入る吸引風が、整流リブ２８により、外気流入口２５の開口面積が場所により規制されるため、本来、連絡路９近傍に係る吸引が強いために連絡路９近傍で速くなるのを外気流入口２５の開口面積を大きくすることで遅くし、連絡路９より離れるところでの外気流入口２５の開口面積を狭めることで流速を速めるため、吸込室５に入り込む吸引風の流速が長手方向に渡って均一化され、吸込室５の上部を漂う塵埃を均一に集塵できる。
【００３１】
また、アーム６を上方に回動したときには、吸込室５の上方と下方から流れる吸引風のベクトルを整流板２７により整流化できるため、吸込具本体１を幅広い使い方をしても、静音化できるものである。
【００３２】
これらから、吸引風を効率的に流す事が出来るため、掃除効率が向上し、吸気風の風切り音が低減したため静かで、吸音材等の目的で配備した吸音材２６の寿命を延ばすことで耐久性の優れた電気掃除機用吸込具を配備した電気掃除機を提供することができるものである。
【００３３】
【発明の効果】
本発明の請求項１記載の発明によれば、外気流入口からの風切り音を低減すると共に、外気流入口からの吸引風が下方の開口からの吸引風と合流することにより、空気の流れをスムーズにすることが出来、尚かつ吸音材の下方に空気の流れを作ることにより吸音材への塵埃の付着を防止することができ吸音材の寿命を延ばすことが出来るようにできるものである。
【００３４】
請求項２記載の発明は、掃除効率が良く、静かで耐久性の優れた電気掃除機を提供することができるものである。
【図面の簡単な説明】
【図１】  本発明の実施例を示す電気掃除機用吸込具の上面図
【図２】  同吸込具の中央断面図
【図３】  同吸込具の上ケースを外した上面図
【図４】  同吸込具の下面図
【図５】  同吸込具の正面図
【図６】  同吸込具を電気掃除機に配備したときの全体斜視図
【図７】  同吸込具のアームを回動したときの中央断面図
【図８】  従来の電気掃除機用吸込具の斜視図
【図９】  同吸込具の中央断面図
【図１０】  同吸込具の下面図
【図１１】  同吸込具の上ケースを外した上面図
【符号の説明】
１  吸込具本体
５  吸込室
６  アーム
９  連絡路
２７  整流板
【図１】
0004045643.tif 000002
【図２】
0004045643.tif 000003
【図３】
0004045643.tif 000004
【図４】
0004045643.tif 000005
【図５】
0004045643.tif 000006
【図６】
0004045643.tif 000007
【図７】
0004045643.tif 000008
【図８】
0004045643.tif 000009
【図９】
0004045643.tif 000010
【図１０】
0004045643.tif 000011
【図１１】
0004045643.tif 000012